(57)【要約】【課題】ユーザーに対する健康面でのアドバイスを即座に行う。【解決手段】ＨＤＤ１０８（記憶デバイス）にカメラ１０５が撮影した画像及び健康管理解析部１２１による解析結果と、サーモグラフィー１０６の測定結果及び健康管理解析部１２１による解析結果とを記憶し、健康管理解析部１２１が現在の画像と過去の画像との解析結果の差、及び現在の測定結果と過去の測定結果との解析結果の差に基づき、ユーザーの体調を判断すると、システム制御部１２４が健康管理解析部１２１の判断結果に基づき、たとえばプリンター部１０２（出力デバイス）によりアドバイスを示す内容を用紙に印刷して出力させる。【選択図】図２
2017187965.tif 000002
【特許請求の範囲】
【請求項１】
カメラと、
サーモグラフィーと、
出力デバイスと、
前記カメラが撮影した画像及び解析結果と、前記サーモグラフィーの測定結果及び解析結果とを記憶する記憶デバイスと、
前記画像の解析と前記測定結果の解析とを行い、現在の前記画像と過去の前記画像との解析結果の差、及び現在の前記測定結果と過去の測定結果との解析結果の差に基づき、ユーザーの体調を判断する健康管理解析部と、
前記画像及び前記画像の解析結果と、前記測定結果及び前記測定結果の解析結果とを、前記記憶デバイスに記憶させ、前記健康管理解析部の判断結果に基づき、前記出力デバイスに対し、アドバイスを示す内容を出力させるシステム制御部とを備える
ことを特徴とする健康状態解析装置。
【請求項２】
前記健康管理解析部は、現在の前記画像と過去の前記画像との解析結果の差および現在の前記測定結果と過去の測定結果との解析結果の差に基づく総合的な解析結果の差の程度が第１のレベルである場合に判断結果を注意とし、前記総合的な解析結果の差の程度が第２のレベルである場合に判断結果を警告とし、前記総合的な解析結果の差の程度が第３のレベルである場合に判断結果を緊急とすることを特徴とする請求項１に記載の健康状態解析装置。
【請求項３】
前記システム制御部は、前記健康管理解析部による判断結果をネットワークを介して健康アドバイザー端末に送信し、前記出力デバイスに対し、前記健康アドバイザー端末から受け取ったアドバイスを示す内容を出力させることを特徴とする請求項１又は２に記載の健康状態解析装置。
【請求項４】
記憶デバイスにより、カメラが撮影した画像及び解析結果と、サーモグラフィーの測定結果及び解析結果とを記憶する工程と、
健康管理解析部により、前記画像の解析と前記測定結果の解析とを行い、現在の前記画像と過去の前記画像との解析結果の差、及び現在の前記測定結果と過去の測定結果との解析結果の差に基づき、ユーザーの体調を判断する工程と、
システム制御部により、前記画像及び前記画像の解析結果と、前記測定結果及び前記測定結果の解析結果とを、前記記憶デバイスに記憶させ、前記健康管理解析部の判断結果に基づき、出力デバイスに対し、アドバイスを示す内容を出力させる工程と、を健康状態解析装置を制御するコンピューターに実行させる
ことを特徴とする健康状態解析プログラム。
【請求項５】
前記健康管理解析部は、現在の前記画像と過去の前記画像との解析結果の差および現在の前記測定結果と過去の測定結果との解析結果の差に基づく総合的な解析結果の差の程度が第１のレベルである場合に判断結果を注意とし、前記総合的な解析結果の差の程度が第２のレベルである場合に判断結果を警告とし、前記総合的な解析結果の差の程度が第３のレベルである場合に判断結果を緊急とすることを特徴とする請求項４に記載の健康状態解析プログラム。
【請求項６】
前記システム制御部は、前記健康管理解析部による判断結果をネットワークを介して健康アドバイザー端末に送信し、前記出力デバイスに対し、前記健康アドバイザー端末から受け取ったアドバイスを示す内容を出力させることを特徴とする請求項４又は５に記載の健康状態解析プログラム。
【発明の詳細な説明】
【技術分野】
【０００１】
本発明は、健康管理を支援する健康状態解析装置及び健康状態解析プログラムに関する。
【背景技術】
【０００２】
従来、健康管理のために、歩数計、血圧計、体脂肪計などの測定器からの個人データをＰＣ（Ｐｅｒｓｏｎａｌ  Ｃｏｍｐｕｔｅｒ）に取り込み、インターネットを介して健康診断サービスを提供する管理センターなどに送信することで、分析やアドバイスを受けることができる健康管理システムが存在する。
【０００３】
ところが、ＰＣの殆どは、多くの人が利用しやすい場所に設置されておらず、所有者本人の使用に限られるため利便性が高いものとは言い難い。
【０００４】
このような利便性を考慮したものとして、特許文献１では、ユーザーの識別情報に基づきユーザーが使用を要求する画像形成装置との間で認証処理を実行する認証機器と、認証に成功した場合、ユーザーに関する健康データを提供する健康データ提供機器と、健康データを収集し、収集した健康データに基づきユーザーの健康状態を示した健康管理データを生成して提供する画像形成装置とを備えた健康管理システムを提案している。
【先行技術文献】
【特許文献】
【０００５】
【特許文献１】特開２０１３−２１８５６１号公報
【発明の概要】
【発明が解決しようとする課題】
【０００６】
上述した特許文献１での健康管理システムでは、オフィスなどに設置されている画像形成装置などの既存の機器を利用してシステムを構築できることから、利便性が高いものとなっている。
【０００７】
ところで、この健康管理システムでの画像形成装置は、収集した健康データに基づく健康管理データを提供するが、ユーザーに対する健康面でのアドバイスを即座に行う機能を備えていない。
【０００８】
このようなことから、ユーザーに対する健康面でのアドバイスを即座に行う機能を備えた装置の開発が望まれている。
【０００９】
本発明は、このような状況に鑑みてなされたものであり、上記問題点を解消することができる健康状態解析装置及び健康状態解析プログラムを提供することを目的とする。
【課題を解決するための手段】
【００１０】
本発明の健康状態解析装置は、カメラと、サーモグラフィーと、出力デバイスと、前記カメラが撮影した画像及び解析結果と、前記サーモグラフィーの測定結果及び解析結果とを記憶する記憶デバイスと、前記画像の解析と前記測定結果の解析とを行い、現在の前記画像と過去の前記画像との解析結果の差、及び現在の前記測定結果と過去の測定結果との解析結果の差に基づき、ユーザーの体調を判断する健康管理解析部と、前記画像及び前記画像の解析結果と、前記測定結果及び前記測定結果の解析結果とを、前記記憶デバイスに記憶させ、前記健康管理解析部の判断結果に基づき、前記出力デバイスに対し、アドバイスを示す内容を出力させるシステム制御部とを備えることを特徴とする。
また、前記健康管理解析部は、現在の前記画像と過去の前記画像との解析結果の差および現在の前記測定結果と過去の測定結果との解析結果の差に基づく総合的な解析結果の差の程度が第１のレベルである場合に判断結果を注意とし、前記総合的な解析結果の差の程度が第２のレベルである場合に判断結果を警告とし、前記総合的な解析結果の差の程度が第３のレベルである場合に判断結果を緊急とすることを特徴とする。
また、前記システム制御部は、前記健康管理解析部による判断結果をネットワークを介して健康アドバイザー端末に送信し、前記出力デバイスに対し、前記健康アドバイザー端末から受け取ったアドバイスを示す内容を出力させることを特徴とする。
本発明の健康状態解析プログラムは、記憶デバイスにより、カメラが撮影した画像及び解析結果と、サーモグラフィーの測定結果及び解析結果とを記憶する工程と、健康管理解析部により、前記画像の解析と前記測定結果の解析とを行い、現在の前記画像と過去の前記画像との解析結果の差、及び現在の前記測定結果と過去の測定結果との解析結果の差に基づき、ユーザーの体調を判断する工程と、システム制御部により、前記画像及び前記画像の解析結果と、前記測定結果及び前記測定結果の解析結果とを、前記記憶デバイスに記憶させ、前記健康管理解析部の判断結果に基づき、出力デバイスに対し、アドバイスを示す内容を出力させる工程と、を健康状態解析装置を制御するコンピューターに実行させることを特徴とする。
また、前記健康管理解析部は、現在の前記画像と過去の前記画像との解析結果の差および現在の前記測定結果と過去の測定結果との解析結果の差に基づく総合的な解析結果の差の程度が第１のレベルである場合に判断結果を注意とし、前記総合的な解析結果の差の程度が第２のレベルである場合に判断結果を警告とし、前記総合的な解析結果の差の程度が第３のレベルである場合に判断結果を緊急とすることを特徴とする。
また、前記システム制御部は、前記健康管理解析部による判断結果をネットワークを介して健康アドバイザー端末に送信し、前記出力デバイスに対し、前記健康アドバイザー端末から受け取ったアドバイスを示す内容を出力させることを特徴とする。
本発明の健康状態解析装置及び健康状態解析プログラムでは、記憶デバイスにカメラが撮影した画像及び健康管理解析部による解析結果と、サーモグラフィーの測定結果及び健康管理解析部による解析結果とを記憶し、健康管理解析部が現在の画像と過去の画像との解析結果の差、及び現在の測定結果と過去の測定結果との解析結果の差に基づき、ユーザーの体調を判断すると、システム制御部が健康管理解析部の判断結果に基づき、出力デバイスに対し、アドバイスを示す内容を出力させる。
【発明の効果】
【００１１】
本発明の健康状態解析装置によれば、システム制御部が健康管理解析部の判断結果に基づき、出力デバイスに対し、アドバイスを示す内容を出力させるので、ユーザーに対する健康面でのアドバイスを即座に行うことができる。
【図面の簡単な説明】
【００１２】
【図１】本発明の健康状態解析装置の一実施形態を説明するための図である。
【図２】図１のＭＦＰの制御系の構成の一例について説明するための図である。
【図３】図１のＭＦＰが健康状態解析プログラムを実行することにより、ユーザーに対して健康面でのアドバイスを行うための処理について説明するためのフローチャートである。
【発明を実施するための形態】
【００１３】
以下、本発明の健康状態解析装置の一実施形態を、図１〜図３を参照しながら説明する。なお、以下の説明においての健康状態解析装置の一例としては、たとえば印刷機能、コピー機能、ＦＡＸ機能、ネットワーク経由でのデータ送受信機能などを搭載した複合的な周辺機器であるＭＦＰ（Ｍｕｌｔｉｆｕｎｃｔｉｏｎ  Ｐｅｒｉｐｈｅｒａｌ）であるものとする。また、本実施形態でのＭＦＰは会社内に配置されているものとする。
【００１４】
まず、図１に示すように、ＭＦＰ１００は、ＬＡＮ（Ｌｏｃａｌ  Ａｒｅａ  Ｎｅｔｗｏｒｋ）などのネットワーク３００に接続されている。なお、図１では、複数のＭＦＰ１００がネットワーク３００に接続されている場合を示しているが、１台のＭＦＰ１００がネットワーク３００に接続されていてもよい。
【００１５】
また、ＭＦＰ１００は、ＰＣ（Ｐｅｒｓｏｎａｌ  Ｃｏｍｐｕｔｅｒ）などのユーザー端末２００ａ〜２００ｄと、入退出管理装置４００とに接続されている。ユーザー端末２００ａは、たとえば産業医が使用する。また、ユーザー端末２００ｂは、たとえば看護師が使用する。また、ユーザー端末２００ｃは、たとえば上司が使用する。また、ユーザー端末２００ｄは、たとえばユーザー（社員など）が使用する。すなわち、ユーザー端末２００ａ〜２００ｃが健康アドバイザー端末として使用される。入退出管理装置４００は、たとえば会社の各部署の入り口の扉付近に配置されている。また、入退出管理装置４００は、カードリーダーを有している。そして、入退出管理装置４００は、カードリーダーによってＩＣ（ｉｎｔｅｇｒａｔｅｄ  ｃｉｒｃｕｉｔ）カードタイプの認証カードの情報を読み取り、個人識別して電気錠を開錠する。この場合、入退出管理装置４００は、認証カードから読み取ったユーザーの認証情報と、ユーザー（社員など）の入退出時間及び日付を示す時間情報とを、ＭＦＰ１００に通知する。
【００１６】
なお、本実施形態でのＭＦＰ１００は、プライベート印刷も可能となっている。すなわち、たとえばユーザー端末２００ａ〜２００ｄ側からいずれかのＭＦＰ１００に対し、予め印刷ジョブを認証情報であるユーザー名及びパスワードを用いて登録しておき、ＭＦＰ１００側でユーザー名及びパスワードの入力を受け付け、入力されたユーザー名及びパスワードと登録されているユーザー名及びパスワードを照合することでログイン処理で必要となる認証を経ると、選択した印刷ジョブの印刷処理が実行される。
【００１７】
次に、図２を参照し、ＭＦＰ１００の構成の一例について説明する。ＭＦＰ１００は、スキャナー部１０１、プリンター部１０２、ＦＡＸ部１０３、Ｉ／Ｆ（インターフェース）１０４、カメラ１０５、サーモグラフィー１０６、パネル部１０７及びＨＤＤ１０８の動作を制御する制御部１１０を備えている。なお、カメラ１０５及びサーモグラフィー１０６にあっては、ＭＦＰ１００に搭載してもよいし、ＭＦＰ１００の外部に配置してもよい。カメラ１０５及びサーモグラフィー１０６をＭＦＰ１００の外部に配置する場合、カメラ１０５及びサーモグラフィー１０６とＭＦＰ１００とを、たとえばＵＳＢ接続によって連結すればよい。
【００１８】
スキャナー部１０１は、イメージセンサ（図示省略）によって読み取られる、図示しない原稿の画像をデジタルの画像データに変換し、制御部１１０に入力するデバイスである。プリンター部１０２は、制御部１１０から出力される印刷データに基づき、図示しない用紙上に画像を印刷するデバイスである。ＦＡＸ部１０３は、制御部１１０から出力されるデータを、電話回線を通じ相手方となるファクシミリへと送信し、また、相手方ファクシミリからのデータを受信して制御部１１０に入力するデバイスである。
【００１９】
Ｉ／Ｆ１０４は、ネットワーク３００を介し、他のＭＦＰ１００やユーザー端末２００ａ〜２００ｄなどとの通信を受け持つ。なお、Ｉ／Ｆ１０４は、図示しないコンテンツサーバーやウェブサーバーなどとの通信を受け持ってもよい。カメラ１０５は、ＭＦＰ１００を使用するユーザーの顔を撮影する。なお、カメラ１０５は、静止画を撮影してもよいし、動画を撮影してもよい。また、カメラ１０５は、たとえばパネル部１０７での操作が行われたとき撮影を開始する。ここで、カメラ１０５は、静止画の場合、たとえば１枚の画像を撮影した後、撮影を終了する。一方、カメラ１０５は、動画の場合、一定時間、画像を撮影した後、撮影を終了する。
【００２０】
サーモグラフィー１０６は、ＭＦＰ１００を使用するユーザーの体全体の温度分布を測定する。サーモグラフィー１０６による測定は、たとえばパネル部１０７での操作が行われたときに開始し、一定時間後、終了する。
【００２１】
パネル部１０７は、ＭＦＰ１００の印刷機能、コピー機能、ＦＡＸ機能、ネットワーク経由でのデータ送受信機能や、各種設定のための表示を行うタッチパネルなどのデバイスである。また、パネル部１０７は、ログイン処理で必要となる認証情報であるユーザー名及びパスワードの入力を促す内容を表示する。ＨＤＤ１０８は、ＭＦＰ１００の種々の機能を提供するためのアプリケーションプログラムなどを記憶している記憶デバイスである。ここで、アプリケーションプログラムは健康状態解析プログラムを含む。また、ＨＤＤ１０８は、たとえばユーザー端末２００ａ〜２００ｄ側から登録された印刷ジョブを記憶するユーザーボックスを有している。また、ＨＤＤ１０８は、カメラ１０５で撮影された顔の表情や、サーモグラフィー１０６によって測定された体全体又は顔の温度分布から身体状況を判断するための健康データベースを有している。また、ＨＤＤ１０８には、カメラ１０５が撮影したユーザーの顔と、サーモグラフィー１０６が測定したユーザーの体全体の温度分布と、入退出管理装置４００から得られる時間情報と、後述の健康管理解析部１２１の判断結果とが、ユーザーの認証情報に紐付けされて蓄積される。
【００２２】
制御部１１０は、アプリケーションプログラム、画像形成プログラム、及び制御プログラムなどの各種プログラムを実行してＭＦＰ１００全体の動作を制御するプロセッサーである。制御部１１０は、スキャナー制御部１１１、プリンター制御部１１２、ＦＡＸ（Ｆａｃｓｉｍｉｌｅ）制御部１１３、通信制御部１１４、ＲＡＭ（Ｒａｎｄｏｍ  Ａｃｃｅｓｓ  Ｍｅｍｏｒｙ）１１５、ＲＯＭ（Ｒｅａｄ−Ｏｎｌｙ  Ｍｅｍｏｒｙ）１１６、画像処理部１１７、認証管理部１１８、カメラ駆動制御部１１９、サーモグラフィー駆動制御部１２０、健康管理解析部１２１、パネル操作制御部１２２、ＨＤＤ制御部１２３、システム制御部１２４を備えている。また、これらは、データバス１２５に接続されている。
【００２３】
スキャナー制御部１１１は、スキャナー部１０１の読み取り動作を制御する。プリンター制御部１１２は、プリンター部１０２の印刷動作を制御する。ＦＡＸ制御部１１３は、ＦＡＸ部１０３によるデータの送受信動作を制御する。通信制御部１１４は、Ｉ／Ｆ１０４を介し、ネットワーク３００経由でのデータなどの送受信の制御を行う。
【００２４】
ＲＡＭ１１５は、各種プログラムを実行するためのワークメモリーである。また、ＲＡＭ１１５は、画像処理部１１７によって画像処理された印刷データを記憶する。ＲＯＭ１１６には、各部の動作チェックなどを行う制御プログラムが記憶されている。画像処理部１１７は、スキャナー部１０１によって読み取られた画像データに対する画像処理（ラスタライズ）を行う。また、画像処理部１１７は、ＨＤＤ１０８のユーザーボックスに登録された印刷ジョブに対する画像処理（ラスタライズ）を行う。なお、システム制御部１２４は、画像処理部１１７が画像処理した印刷データを、一旦、ＲＡＭ１１５に記憶させる。
【００２５】
認証管理部１１８は、登録済みの認証情報を管理する。また、認証管理部１１８は、ログイン時において、パネル部１０７を介し入力される認証情報が登録済みの認証情報と一致するかどうかを確認する。認証情報は、たとえばＨＤＤ１０８のユーザーボックスに印刷ジョブを登録する際に使用したユーザー名及びパスワードを含む。カメラ駆動制御部１１９は、カメラ１０５の動作を制御する。サーモグラフィー駆動制御部１２０は、サーモグラフィー１０６の動作を制御する。
【００２６】
健康管理解析部１２１は、カメラ１０５が撮影した顔の画像と、サーモグラフィー１０６が測定した体全体又は顔の温度分布と、顔の画像及び温度分布の解析結果と、入退出管理装置４００から得られる時間情報とを、ユーザーの認証情報に紐付けて管理する。また、健康管理解析部１２１は、ＨＤＤ１０８に蓄積された過去のユーザーの顔の画像及び温度分布の解析結果と、現在のユーザーの顔の画像及び温度分布の解析結果とを比較してユーザーの体調を判断し、判断結果をシステム制御部１２４に通知する。
【００２７】
なお、健康管理解析部１２１は、ユーザーの体調を判断する場合、たとえば顔の画像から感情を読み取って数値化する既存の解析ツールや、サーモグラフィー１０６によって測定された体全体の温度分布から熱分布を解析する既存の解析ツールを用いることができる。ちなみに、たとえば顔の画像から感情を読み取って数値化する既存の解析ツールでは、たとえばＡｎｇｅｒ（怒り）・Ｃｏｎｔｅｍｐｔ（軽蔑）・Ｄｉｓｇｕｓｔ（不愉快）・Ｆｅａｒ（恐れ）・Ｈａｐｐｉｎｅｓｓ（幸福）・Ｎｅｕｔｒａｌ（無関心）・Ｓａｄｎｅｓｓ（悲しみ）・Ｓｕｒｐｒｉｓｅ（驚き）という８つの感情を数値化できる。この場合、たとえば総合的に数値（例えば、各感情の数値の合計値）が高いほど感情の度合いが高いと判断できる。また、サーモグラフィー１０６によって測定された体全体又は顔の温度分布から熱分布を解析する既存の解析ツールでは、局所体温が低下しているか上昇しているかにより、局所の状態を判断できる。ちなみに、局所体温が低下していると解析された場合、たとえば神経の痛みであると判断できる。また、局所体温が上昇していると解析された場合、たとえば筋肉の痛みであると判断できる。この場合、局所体温が極度に低下又は上昇していれば、異常であると判断できる。
【００２８】
また、健康管理解析部１２１は、ユーザーの体調を判断する場合、現在の顔の画像の解析結果と、過去の顔の画像の解析結果との差や、現在の熱分布の解析結果と、過去の熱分布の解析結果との差に基づき、たとえば注意、警告、緊急の３通りの判断結果を出すことができる。すなわち、たとえば顔の画像の解析結果の差が第１の閾値以上且つ第２の閾値未満、または、熱分布の解析結果の差が第３の閾値以上且つ第４の閾値未満の場合（すなわち、解析結果の差が小さい場合）、注意とした判断結果を出す。また、たとえば顔の画像の解析結果の差が第１の閾値以上且つ第２の閾値未満、熱分布の解析結果の差が第３の閾値以上且つ第４の閾値未満の場合（すなわち、解析結果の差が中程度の場合）、警告とした判断結果を出す。また、たとえば顔の画像の解析結果の差が第２の閾値以上であるか、熱分布の解析結果の差が第４の閾値以上の場合（すなわち、解析結果の差が大きい場合）、緊急とした判断結果を出す。ここで、第１の閾値＜第２の閾値、第３の閾値＜第４の閾値である。なお、差の程度を判断するレベルは、注意、警告、緊急の３通りに対応させた任意の第１〜第３のレベルを用いてもよいし、既存の解析ツールに予め設定されている値を用いてもよい。また、判断結果については、注意、警告、緊急の３通りに限らず、さらに細分化してもよい。また、現在の顔の画像の解析結果と比較する過去の顔の画像の解析結果として、直近の特定回数分又は特定期間分の解析結果の数値の平均値を用いることができる。また、現在の熱分布の解析結果と比較する過去の熱分布の解析結果として、直近の特定回数分又は特定期間分の熱分布の平均値を用いることができる。
【００２９】
また、健康管理解析部１２１がユーザーの体調を判断する場合、ユーザー（社員など）の入退出時間と日付とから得られる勤務時間を加味してもよい。特に、勤務時間が規定の時間より長い場合は、疲労が蓄積されていると予測できるので、現在の解析結果と過去の解析結果との差が殆どなくても、注意とした判断結果を出すことができる。この場合、健康管理解析部１２１は、第１の閾値及び第２の閾値に代えて、第１の閾値及び第２の閾値よりもそれぞれ低い閾値を用い、上記の注意の場合と同様にして判断結果を出してもよい。
【００３０】
パネル操作制御部１２２は、パネル部１０７の表示動作を制御する。また、パネル操作制御部１２２は、パネル部１０７を介し、印刷、コピー、ＦＡＸ、ネットワーク３００経由でのデータ送受信などの開始、タンデム印刷の設定などを受け付ける。ＨＤＤ制御部１２３は、ＨＤＤ１０８に対するデータの読み出し及び書き込みなどを制御する。
【００３１】
システム制御部１２４は、各部の連携動作などを制御する。また、システム制御部１２４は、パネル部１０７を介しての操作があると、カメラ駆動制御部１１９及びサーモグラフィー駆動制御部１２０に対し、動作開始を指示する。また、システム制御部１２４は、健康管理解析部１２１からの判断結果に基づき、アドバイスを示す内容を出力させる。なお、アドバイスの内容については、プリンター部１０２により用紙に印刷して出力してもよいし、パネル部１０７に表示させてもよい。また、ユーザーのメールアドレスがＨＤＤ１０８に登録されている場合には、メールでアドバイスの内容を送信してもよい。また、アドバイスとしては、健康管理解析部１２１からの判断結果が注意である場合、たとえば「”注意：今日は早く帰って休養を取ろう”」といった注意を促す内容としてもよい。また、健康管理解析部１２１からの判断結果が警告である場合、たとえば「”警告：近日中に医者に行ってみてもらいなさい“」といった警告を促す内容としてもよい。また、健康管理解析部１２１からの判断結果が緊急である場合、たとえば「”緊急：今すぐ医者に行ってみてもらいなさい“」といった緊急を促す内容としてもよい。
【００３２】
なお、システム制御部１２４は健康管理解析部１２１からの判断結果が緊急である場合、たとえば産業医が使用するユーザー端末２００ａ、たとえば看護師が使用するユーザー端末２００ｂ、たとえば上司が使用するユーザー端末２００ｃのいずれか又は全てに対し、ユーザーの体調の判断結果が緊急であることを通知する。また、システム制御部１２４は、たとえば産業医が使用するユーザー端末２００ａに対し、健康管理解析部１２１が管理している、カメラ１０５が撮影した顔の画像と、サーモグラフィー１０６が測定した体全体の温度分布と、判断結果と、ユーザーのメールアドレスとを通知してもよい。この場合、産業医が使用するユーザー端末２００ａからユーザーのメールアドレスに、産業医からのアドバイスを示す内容を送信できる。また、看護師が使用するユーザー端末２００ｂからユーザーのメールアドレスに、看護師からのアドバイスを示す内容を送信できる。また、上司が使用するユーザー端末２００ｃからユーザーのメールアドレスに、上司からのアドバイスを示す内容を送信できる。
【００３３】
次に、図３を参照し、ＭＦＰ１００が健康状態解析プログラムを実行することにより、ユーザーに対して健康面でのアドバイスを行うための処理について説明する。
【００３４】
（ステップＳ１０１）
まず、システム制御部１２４は、ログイン処理が完了したかどうかを判断する。この場合、システム制御部１２４は、認証管理部１１８がパネル部１０７を介して入力されたユーザー名及びパスワードと、既に管理している認証情報との一致を確認していなければログイン処理が完了していないと判断する（ステップＳ１０１：Ｎｏ）。
これに対し、システム制御部１２４は、認証管理部１１８がパネル部１０７を介して入力されたユーザー名及びパスワードと、既に管理している認証情報との一致を確認すれば、ログイン処理が完了したと判断し（ステップＳ１０１：Ｙｅｓ）、ステップＳ１０２に移行する。
なお、認証管理部１１８がパネル部１０７を介して入力されたユーザー名及びパスワードと、既に管理している認証情報とが不一致であると確認した場合、システム制御部１２４がパネル部１０７に不一致であるエラーを表示させてもよい。
【００３５】
（ステップＳ１０２）
システム制御部１２４は、顔の撮影と温度分布の測定とを指示する。この場合、システム制御部１２４は、カメラ駆動制御部１１９を介し、カメラ１０５を動作させてユーザーの顔を撮影させる。ここで、カメラ１０５の撮影モードが静止画に設定されている場合、システム制御部１２４はカメラ１０５がたとえば１枚の画像を撮影すると、撮影を終了させる。また、カメラ１０５の撮影モードが動画に設定されている場合、システム制御部１２４はカメラ１０５が一定時間、画像を撮影すると、撮影を終了させる。
また、システム制御部１２４は、サーモグラフィー駆動制御部１２０を介し、サーモグラフィー１０６を動作させてユーザーの体全体の温度分布を測定させ、一定時間後、終了させる。
【００３６】
（ステップＳ１０３）
システム制御部１２４は、健康管理解析部１２１に対し、解析を指示する。
この場合、健康管理解析部１２１は、たとえば顔の画像から感情を読み取って数値化する既存の解析ツールと、サーモグラフィー１０６によって測定された体全体の温度分布から熱分布を解析する既存の解析ツールとを用いて解析する。また、健康管理解析部１２１は、現在の顔の画像の解析結果と、過去の顔の画像の解析結果との差や、現在の熱分布の解析結果と、過去の熱分布の解析結果と差に基づき、たとえば注意、警告、緊急のいずれかの判断結果を出す。
すなわち、たとえば顔の画像の解析結果と熱分布の解析結果に基づいた総合的な解析結果の差が小さければ、注意とした判断結果を出す。また、たとえば総合的な解析結果の差が中程度であれば、警告とした判断結果を出す。また、たとえば総合的な解析結果の差が大きければ、緊急とした判断結果を出す。
ただし、ユーザー（社員など）の勤務時間が規定の時間より長い場合は、疲労が蓄積されていると予測できるので、現在の解析結果と過去の解析結果との差が殆どなくても、注意とした判断結果を出す。
【００３７】
（ステップＳ１０４）
システム制御部１２４は、健康管理解析部１２１からの判断結果を受け取ったかどうかを判断する。
この場合、システム制御部１２４は、健康管理解析部１２１からの判断結果の通知を受け取るまで待ち（ステップＳ１０４：Ｎｏ）、健康管理解析部１２１からの判断結果の通知を受け取ると、判断結果を受け取ったと判断する（ステップＳ１０４：Ｙｅｓ）。
【００３８】
（ステップＳ１０５）
システム制御部１２４は、判断結果が緊急かどうかを判断する。
この場合、システム制御部１２４は、健康管理解析部１２１からの判断結果が注意又は警告であれば、緊急でないと判断し（ステップＳ１０５：Ｎｏ）、ステップＳ１０６に移行する。
これに対し、システム制御部１２４は、健康管理解析部１２１からの判断結果が緊急であれば、緊急であると判断し（ステップＳ１０５：Ｙｅｓ）、ステップＳ１０７に移行する。
【００３９】
（ステップＳ１０６）
システム制御部１２４は、注意又は警告を促すアドバイスの内容を出力させる。
この場合、システム制御部１２４は、健康管理解析部１２１からの判断結果が注意であれば、プリンター制御部１１２を介し、プリンター部１０２によって注意を促すアドバイスの内容を用紙に印刷させる。この場合のアドバイスは、上述したように、たとえば「”注意：今日は早く帰って休養を取ろう”」といった内容としてもよい。
また、システム制御部１２４は、健康管理解析部１２１からの判断結果が警告であれば、プリンター制御部１１２を介し、プリンター部１０２によって警告を促すアドバイスの内容を用紙に印刷させる。この場合のアドバイスは、上述したように、たとえば「”警告：近日中に医者に行ってみてもらいなさい“」といった内容としてもよい。
なお、注意又は警告を促すアドバイスの内容については、パネル操作制御部１２２を介し、パネル部１０７に表示させてもよい。また、ユーザーのメールアドレスがＨＤＤ１０８に登録されている場合には、通信制御部１１４を介し、メールでアドバイスの内容を送信してもよい。
【００４０】
（ステップＳ１０７）
システム制御部１２４は、緊急を促すアドバイスの内容を出力させる。
この場合、システム制御部１２４は、健康管理解析部１２１からの判断結果が緊急であれば、プリンター制御部１１２を介し、プリンター部１０２によって緊急を促すアドバイスの内容を用紙に印刷させる。この場合のアドバイスは、上述したように、「”警告：近日中に医者に行ってみてもらいなさい“」といった内容としてもよい。
また、緊急を促すアドバイスの内容については、パネル操作制御部１２２を介し、パネル部１０７に表示させてもよい。また、ユーザーのメールアドレスがＨＤＤ１０８に登録されている場合には、通信制御部１１４を介し、メールでアドバイスの内容を送信してもよい。
【００４１】
（ステップＳ１０８）
システム制御部１２４は、産業医、看護師、上司に通知する。
この場合、システム制御部１２４は、たとえば産業医が使用するユーザー端末２００ａ、たとえば看護師が使用するユーザー端末２００ｂ、たとえば上司が使用するユーザー端末２００ｃのいずれか又は全てに対し、ユーザーの体調の判断結果が緊急であることを、通信制御部１１４を介して通知する。
また、この場合、システム制御部１２４は、たとえば産業医が使用するユーザー端末２００ａに対し、健康管理解析部１２１が管理している、カメラ１０５が撮影した顔の画像と、サーモグラフィー１０６が測定した体全体の温度分布と、判断結果と、ユーザーのメールアドレスとを通知してもよい。
これにより、産業医が使用するユーザー端末２００ａからユーザーのメールアドレスに、産業医からのアドバイスを示す内容を送信できる。また、看護師が使用するユーザー端末２００ｂからユーザーのメールアドレスに、看護師からのアドバイスを示す内容を送信できる。また、上司が使用するユーザー端末２００ｃからユーザーのメールアドレスに、上司からのアドバイスを示す内容を送信できる。
【００４２】
（ステップＳ１０９）
システム制御部１２４は、カメラ１０５が撮影した顔の画像と、サーモグラフィー１０６が測定した体全体の温度分布とを、ユーザーの認証情報に紐付けてたとえばＨＤＤ１０８に記憶させる。また、この場合、システム制御部１２４は、健康管理解析部１２１の判断結果を、ユーザーの認証情報に紐付けてたとえばＨＤＤ１０８に記憶させる。
【００４３】
このように、本実施形態では、ＨＤＤ１０８（記憶デバイス）にカメラ１０５が撮影した画像及び健康管理解析部１２１による解析結果と、サーモグラフィー１０６の測定結果及び健康管理解析部１２１による解析結果とを記憶し、健康管理解析部１２１が現在の画像と過去の画像との解析結果の差、及び現在の測定結果と過去の測定結果との解析結果の差に基づき、ユーザーの体調を判断すると、システム制御部１２４が健康管理解析部１２１の判断結果に基づき、たとえばプリンター部１０２（出力デバイス）によりアドバイスを示す内容を用紙に印刷して出力させるので、ユーザーに対する健康面でのアドバイスを即座に行うことができる。
【００４４】
また、本実施形態では、健康管理解析部１２１が現在の画像の解析結果と過去の画像の解析結果との差および現在の体全体又は顔の熱分布の解析結果と過去の熱分布の解析結果に基づく総合的な解析結果の差の程度が第１のレベルである場合に判断結果を注意とし、総合的な解析結果の差の程度が第２のレベルである場合に判断結果を警告とし、総合的な解析結果の差の程度が第３のレベルである場合に判断結果を緊急とするので、ユーザーに対しそれぞれのレベルに応じたアドバイスを即座に行うことができる。
【００４５】
なお、本実施形態では、健康状態の解析機能を有したＭＦＰ１００を会社内に配置した場合として説明したが、この例に限らず、コンビニエンスストアなどの商業施設や、図書館などの公共施設に配置してもよい。ＭＦＰ１００が商業施設や公共施設に配置された場合、キャッシュカードなどの認証情報を利用することで、カメラ１０５による撮影、サーモグラフィー１０６による測定が継続的に行われるため、商業施設や公共施設を簡易診療所としても利用可能となる。
【００４６】
また、コンビニエンスストアなどの商業施設の場合、健康管理解析部１２１の判断により、不足している食べ物や、体調からのおすすめメニューや、おすすめ弁当などを提示することができ、利用客の増加も見込める。
【符号の説明】
【００４７】
１００  ＭＦＰ
１０１  スキャナー部
１０２  プリンター部
１０３  ＦＡＸ部
１０４  Ｉ／Ｆ
１０５  カメラ
１０６  サーモグラフィー
１０７  パネル部
１０８  ＨＤＤ
１１０  制御部
１１１  スキャナー制御部
１１２  プリンター制御部
１１３  ＦＡＸ制御部
１１４  通信制御部
１１５  ＲＡＭ
１１６  ＲＯＭ
１１７  画像処理部
１１８  認証管理部
１１９  カメラ駆動制御部
１２０  サーモグラフィー駆動制御部
１２１  健康管理解析部
１２２  パネル操作制御部
１２３  ＨＤＤ制御部
１２４  システム制御部
１２５  データバス
２００ａ〜２００ｄ  ユーザー端末
３００  ネットワーク
４００  入退出管理装置
【図１】
2017187965.tif 000003
【図２】
2017187965.tif 000004
【図３】
2017187965.tif 000005